(57)【要約】  本発明は、アップリンクパケットデータサービスを支援する移動通信システムで、端末状態情報を基地局に効果的に伝送することによってアップリンクデータサービスを支援するシステムのスケジューリング性能を向上させ、全体的なシステムの安全性を高めることができる方法及び装置を提供する。具体的に、本発明は、周期的或いはイベント発生的にバッファ情報とＴＰＳ情報を含む端末状態情報を、伝送するデータの存在有無に関係なく基地局に伝送される。このように本発明は、バッファ情報とＴＰＳ情報をＭＡＣ-ｅシグナリングを用いて基地局に伝送することによって、物理チャンネルリソースを節約してＥ-ＤＣＨの性能を改善させる。
2008517551.tif 000002
【特許請求の範囲】
【請求項１】
移動通信システムにおけるアップリンクデータ伝送のための端末(User  Equipment：ＵＥ)状態情報の送信方法であって、
伝送するアップリンクデータの量を監視してバッファ(Buffer  Occupancy：ＢＯ)情報を生成する段階と、
アップリンク送信電力状態(Transmit  Power  Status：ＴＰＳ)を監視してＴＰＳ情報を生成する段階と、
前記バッファ情報が現在時間区間(current  time  interval)に伝送されたか否かを判定する段階と、
前記バッファ情報がＴＰＳ周期による現在時間区間に伝送された場合に、前記ＴＰＳ情報が現在時間区間に伝送されたか否かを判定する段階と、
前記ＴＰＳ情報が現在時間区間に伝送された場合に、前記バッファ情報と前記ＴＰＳ情報を含むパケットデータユニット(ＰＤＵ)を生成する段階と、
前記ＰＤＵを符号化及び変調して送信する段階と、
を有することを特徴とする送信方法。
【請求項２】
前記ＴＰＳ情報のＴＰＳ周期による現在時間区間に伝送されない場合に、前記ＴＰＳ情報の伝送イベントが発生したか否かを判定する段階と、
前記ＴＰＳ情報の伝送イベントが発生した場合に、前記バッファ情報と前記ＴＰＳ情報を含むＰＤＵを生成して伝送する段階と、
をさらに有することを特徴とする請求項１記載の送信方法。
【請求項３】
前記ＰＤＵを生成する段階は、
前記ＴＰＳ情報がＴＰＳ周期による現在時間区間に伝送された場合に、前記ＴＰＳ情報の伝送イベントが発生したか否かを判定する段階と、
前記ＴＰＳ情報の伝送イベントが発生した場合に、前記バッファ情報と前記ＴＰＳ情報を含むＰＤＵを生成する段階と、
を有することを特徴とする請求項１記載の送信方法。
【請求項４】
前記ＰＤＵは、アップリンクパケットデータをさらに含むことを特徴とする請求項１記載の送信方法。
【請求項５】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項４記載の送信方法。
【請求項６】
移動通信システムにおけるアップリンクデータ伝送のための端末状態情報の送信装置であって、
アップリンクデータをバッファリングし、前記アップリングデータの量を監視してバッファ情報を生成するバッファと、
アップリンク送信電力状態を監視してＴＰＳ情報を生成するためのＴＰＳ情報管理部と、
前記バッファ情報が現在時間区間に伝送されたか否かを判定し、前記バッファ情報がＴＰＳ周期による現在時間区間に伝送された場合に前記ＴＰＳ情報が前記現在時間区間に伝送されたか否かを判定し、前記ＴＰＳ情報が前記現在時間区間に伝送された場合に前記バッファ情報と前記ＴＰＳ情報を含む端末状態情報を生成する端末状態情報生成部と、
前記端末状態情報を含むＰＤＵを生成するためのＰＤＵ生成部と、
前記ＰＤＵを符号化及び変調して送信する送信部と、
を含むことを特徴とする送信装置。
【請求項７】
前記端末状態情報生成部は、
前記ＴＰＳ情報のＴＰＳ周期による現在時間区間に伝送されない場合に前記ＴＰＳ情報の伝送イベントが発生したか否かを判定し、前記ＴＰＳ情報の伝送イベントが発生した場合に前記バッファ情報と前記ＴＰＳ情報を含む前記端末状態情報を生成することを特徴とする請求項６記載の送信装置。
【請求項８】
前記端末状態情報生成部は、
前記ＴＰＳ情報が伝送周期による現在時間区間に伝送した場合に、前記ＴＰＳ情報の伝送イベントが発生したか否かを判定し、前記ＴＰＳ情報の伝送イベントが発生した場合に前記バッファ情報と前記ＴＰＳ情報を含む前記端末状態情報を生成することを特徴とする請求項６記載の送信装置。
【請求項９】
前記ＰＤＵは、アップリンクデータをさらに含むことを特徴とする請求項６記載の送信装置。
【請求項１０】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項９記載の送信装置。
【請求項１１】
移動通信システムにおけるアップリンクデータ伝送のための端末(ＵＥ)状態情報の送信方法であって、
伝送するアップリンクデータの量を監視してバッファ(ＢＯ)情報を生成する段階と、
アップリンク送信電力状態(ＴＰＳ)を監視してＴＰＳ情報を生成する段階と、
前記バッファ情報が現在時間区間(current  time  interval)に伝送されたか否かを判定する段階と、
前記バッファ情報が前記現在時間区間に伝送された場合に、前記ＴＰＳ情報の伝送イベントが発生したか否かを判定する段階と、
前記ＴＰＳ情報の伝送イベントが発生した場合に、前記バッファ情報と前記ＴＰＳ情報を含むパケットデータユニット(ＰＤＵ)を生成する段階と、
前記ＰＤＵを符号化及び変調して送信する段階と、
を有することを特徴とする送信方法。
【請求項１２】
前記ＴＰＳ情報の伝送イベントが発生しない場合に前記ＴＰＳ情報のＴＰＳ周期による現在時間区間に伝送されたか否かを判定する段階と、
前記ＴＰＳ情報が前記ＴＰＳ周期による現在時間区間に伝送された場合に、前記バッファ情報と前記ＴＰＳ情報を含むＰＤＵを生成する段階と、
をさらに有することを特徴とする請求項１１記載の送信方法。
【請求項１３】
前記ＰＤＵを生成する段階は、
前記ＴＰＳ情報の伝送イベントが発生した場合に前記ＴＰＳ情報が前期ＴＰＳ周期による現在時間区間に伝送されたか否かを判定する段階と、
前記ＴＰＳ情報が前記ＴＰＳ周期による現在時間区間に伝送された場合に前記バッファ情報と前記ＴＰＳ情報を含むＰＤＵを生成する段階と、
を有することを特徴とする請求項１１記載の送信方法。
【請求項１４】
前記ＰＤＵは、アップリンクパケットデータをさらに含むことを特徴とする請求項１１記載の送信方法。
【請求項１５】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項１４記載の送信方法。
【請求項１６】
移動通信システムにおけるアップリンクデータ伝送のための端末状態情報の送信装置であって、
アップリンクデータをバッファリングし、前記アップリングデータの量を監視してバッファ情報を生成するバッファと、
アップリンク送信電力状態を監視してＴＰＳ情報を生成するためのＴＰＳ情報管理部と、
前記バッファ情報が現在時間区間に伝送されたか否かを判定し、前記バッファ情報が前記現在時間区間に伝送された場合に前記ＴＰＳ情報の伝送イベントが発生したか否かを判定し、前記ＴＰＳ情報の伝送イベントが発生した場合に前記バッファ情報と前記ＴＰＳ情報を含む端末状態情報を生成する端末状態情報生成部と、
前記端末状態情報を含むＰＤＵを生成するためのＰＤＵ生成部と、
前記ＰＤＵを符号化及び変調して送信する送信部と、
を含むことを特徴とする送信装置。
【請求項１７】
前記端末状態情報生成部は、前記ＴＰＳ情報の伝送イベントが発生しない場合に前記ＴＰＳ情報がＴＰＳ周期による前記現在時間区間に伝送したが否かを判定し、前記ＴＰＳ情報がＴＰＳ周期による前記現在時間区間に到達した場合に前記バッファ情報と前記ＴＰＳ情報を含む前記端末状態情報を生成することを特徴とする請求項１６記載の送信装置。
【請求項１８】
前記端末状態情報生成部は、
前記ＴＰＳ情報の伝送イベントが発生した場合に前記ＴＰＳ情報がＴＰＳ周期による前記現在時間区間に伝送したか否かを判定し、前記ＴＰＳ情報が前記ＴＰＳ周期による前記現在時間区間に伝送した場合に前記バッファ情報と前記ＴＰＳ情報を含む前記端末状態情報を生成することを特徴とする請求項１６記載の送信装置。
【請求項１９】
前記ＰＤＵは、前記アップリンクパケットデータをさらに含むことを特徴とする請求項１６記載の送信装置。
【請求項２０】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項１９記載の送信装置。
【請求項２１】
移動通信システムにおけるアップリンクデータ伝送のための端末(ＵＥ)状態情報の送信方法であって、
伝送するアップリンクデータの量を監視してバッファ(ＢＯ)情報を生成する段階と、
アップリンク送信電力状態(ＴＰＳ)を監視してＴＰＳ情報を生成する段階と、
現在時間区間が、前記バッファ情報が伝送されるバッファ伝送区間であるか否かを判定する段階と、
前記現在時間区間がバッファ伝送区間である場合に、前記バッファ情報とＴＰＳ情報を含むパケットデータユニット(ＰＤＵ)を生成する段階と、
前記ＰＤＵを符号化及び変調して送信する段階と、
を有することを特徴とする送信方法。
【請求項２２】
前記バッファ情報伝送区間が、周期的及びイベント発生的のうち少なくとも一つであることを特徴とする請求項２１記載の送信方法。
【請求項２３】
前記ＰＤＵは、アップリンクパケットデータをさらに含むことを特徴とする請求項２１記載の送信方法。
【請求項２４】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項２１記載の送信方法。
【請求項２５】
移動通信システムにおけるアップリンクデータ伝送のための端末状態情報の送信装置であって、
アップリンクデータをバッファリングし、前記アップリングデータの量を監視してバッファ情報を生成するバッファと、
アップリンク送信電力状態を監視してＴＰＳ情報を生成するためのＴＰＳ情報管理部と、
現在時間区間が前記バッファ情報が伝送されるバッファ伝送区間であるか否かを判定し、前記現在時間区間がバッファ伝送区間である場合に前記バッファ情報と前記ＴＰＳ情報を含む端末状態情報を生成する端末状態情報生成部と、
前記端末状態情報を含むＰＤＵを生成するためのＰＤＵ生成部と、
前記ＰＤＵを符号化及び変調して送信する送信部と、
を含むことを特徴とする送信装置。
【請求項２６】
前記バッファ伝送区間は、周期的及びイベント発生的なことのうち少なくとも一つによってなされることを特徴とする請求項２５記載の送信装置。
【請求項２７】
前記ＰＤＵは、アップリンクパケットデータをさらに含むことを特徴とする請求項２５記載の送信装置。
【請求項２８】
前記ＰＤＵは、向上したアップリンク専用チャンネル(Ｅ-ＤＣＨ)を通じて伝送される媒体アクセス制御ＰＤＵ(ＭＡＣ-ｅ ＰＤＵ)であることを特徴とする請求項２７記載の送信装置。
【発明の詳細な説明】
【技術分野】
【０００１】
本発明は非同期広帯域符号分割多重接続(Wideband Code Division Multiple Access：以下、“ＷＣＤＭＡ”とする)通信に関するもので、特にアップリンクパケット伝送のスケジューリングのためのユーザー端末(User  Equipment：ＵＥ)のアップリンクチャンネル状態、すなわち送信電力状態(Transmit Power Status：以下、“ＴＰＳ”とする)をシグナリングする方法及び装置に関するものである。
【背景技術】
【０００２】
ヨーロッパ式移動通信システムであるＧＳＭ(Global System for Mobile Communications）に基づいてＷＣＤＭＡを使用する第３世代移動通信システムであるＵＭＴＳ(Universal Mobile Telecommunication Service)システムは、移動電話やコンピュータユーザーに全世界のどこでもパケット基盤のテキスト、デジタル化された音声やビデオ及びマルチメディアデータを２Mbps以上の高速で伝送できる一貫したサービスを提供する。ＵＭＴＳは、インターネットプロトコル(Internet Protocol：ＩＰ）のようなパケットプロトコルを使用するパケット交換方式の接続という仮想接続の概念を使用し、ネットワーク内のいずれの終端にも常に接続が可能である。
【０００３】
図１は、従来のＵＭＴＳシステムの無線接続ネットワーク(ＵＭＴＳ Terrestrial Radio Access Network：以下、“ＵＴＲＡＮ”とする)を示す構成図である。
図１を参照すると、ＵＴＲＡＮ１２は、無線網制御器(Radio Network Controller：以下、“ＲＮＣ”とする)１６ａ，１６ｂと、基地局(Ｎｏｄｅ Ｂ)１８ａ〜１８ｄとを含み、ユーザー端末(User Equipment：以下、“端末”とする)２０をコアネットワーク(Core Network)１０に接続させる。基地局１８ａ〜１８ｄの下位には複数のセルが存在する。それぞれのＲＮＣ１６ａ，１６ｂは該当する下位の基地局を制御し、それぞれの基地局は該当する下位のセルを制御する。一つのＲＮＣと、その制御下の基地局とセルは、無線網サブシステム(Radio Network Subsystem：以下、“ＲＮＳ”とする)１４ａ，１４ｂを構成する。
【０００４】
ＲＮＣ１６ａ，１６ｂは制御する基地局１８ａ〜１８ｄの無線リソースを割り当てて管理し、基地局１８ａ〜１８ｄは実際の無線リソースを提供する。無線リソースはセル別に構成され、基地局１８ａ〜１８ｄによって提供される無線リソースは、その制御下のセルの無線リソースを意味する。端末２０は、特定基地局の特定セルが提供する無線リソースを利用して無線チャンネルを構成し、通信を遂行する。端末２０にとっては、基地局１８ａ〜１８ｄとセルとの間の区別は無意味で、セル別に構成される物理階層のみを認識する。したがって、以下に‘基地局’と‘セル’は同一の意味として言及する。
【０００５】
端末とＲＮＣとの間のインターフェースは、Ｕｕインターフェースとする。図２に、Ｕｕインターフェースの階層的プロトコル構造を示す。図２は、端末機とＲＮＣとの間のインターフェースを示す。Ｕｕインターフェースは端末機とＲＮＣとの間に制御信号を交換するための制御平面(Control Plane：Ｃ-平面）３０と実際のデータを伝送するためのユーザー平面(User Plane：Ｕ-平面)３２に区分される。
【０００６】
図２を参照すれば、ＲＲＣ(Radio Resource Control)階層３２、ＲＬＣ(Radio Link Control)階層４０、ＭＡＣ(Media Access Control)階層４２、及び物理(physical：以下、“ＰＨＹ”とする)階層４４がＣ-平面３０に存在する。ＰＤＣＰ(Packet Data Control Protocol)階層３６、ＢＭＣ(Broadcast/Multicast Control)階層３８、ＲＬＣ階層４０、ＭＡＣ階層４２、及び物理階層４４がＵ-平面３２に存在する。物理階層４４は、各セルに位置し、通常にＭＡＣ階層４２からＲＲＣ階層３４までは各ＲＮＣに位置する。
【０００７】
物理階層４４は、無線伝送(Radio Transfer)技術を用いる情報伝送サービスを提供し、ＯＳＩ(Open Systems Interconnection)モデルの第１の階層(Ｌ１)に該当する。物理階層４４は、伝送チャンネル(Transport Channels)を通じてＭＡＣ階層４２に接続される。伝送チャンネルと物理チャンネルとの間のマッピング関係は、ＰＨＹ階層でデータを処理する方式によって決定される。
【０００８】
ＭＡＣ階層４２は、論理チャンネルを通じてＲＬＣ階層４０に接続される。ＭＡＣ階層４２は、論理チャンネルを通じてＲＬＣ階層４０から受信されたデータを適切な伝送チャンネルを通じてＰＨＹ階層に伝達し、伝送チャンネルを通じてこのＰＨＹ階層４４から伝送されたデータを適切な論理チャンネルを通じてＲＬＣ階層４０に伝達する役割をする。また、論理チャンネルを通じて受信されたデータに付加情報を挿入し、或いは挿入された付加情報を解析して適切な動作を行い、ランダムアクセス動作を制御する。このようなＭＡＣ階層４２でＵ-平面３０にかかる部分はＭＡＣ-d(ＭＡＣ-data)と称し、Ｃ-平面３２にかかる部分はＭＡＣ-c(ＭＡＣ-control)と称する。
【０００９】
ＲＬＣ階層４０は、論理チャンネルの設定及び解除を制御する。ＲＬＣ階層４０は、ＡＭ(Acknowledged Mode)、ＵＭ(Unacknowledged Mode)、及びＴＭ(Transparent Mode)の３つの動作モードのうちの一つで動作でき、動作モードごとに相互に異なる機能を提供する。一般に、ＲＬＣ階層４０は、上位階層から受信されたサービスデータユニット(Service Data Unit：以下、“ＳＤＵ”とする）を適切なサイズに分割又は組立を行う機能及び誤り訂正機能などを担当する。
【００１０】
ＰＤＣＰ階層３６は、Ｕ-平面３２でＲＬＣ階層４０の上位に位置する。ＰＤＣＰ階層３６は、ＩＰパケット形態で伝送されたデータのヘッダーを圧縮して復元する機能と、特定端末にサービスを提供するＲＮＣが端末の移動性によって変更される状況の下でデータの無損失伝送機能などを担当する。
【００１１】
ＰＨＹ階層４４と上位階層との間を接続する伝送チャンネルの特性は、畳み込みチャンネル符号化(convolutional channel encoding)、インタリービング(Interleaving)、及びサービス固有伝送率整合(service-specific rate matching）のようなＰＨＹ階層処理過程を規定している伝送形式(Transport Format：ＴＦ)によって決定される。
【００１２】
特に、ＵＭＴＳシステムでは、端末から基地局へのアップリンク通信において、パケット伝送の性能をより向上させることができる向上したアップリンク専用チャンネル(Enhanced Uplink Dedicated Channel：以下、“Ｅ-ＤＣＨ”とする）を使用する。Ｅ-ＤＣＨは、より安定した高速のデータ伝送を支援するために、複合自動再伝送要求(Hybrid Automatic Retransmission Request：ＨＡＲＱ)及び基地局制御スケジューリング(Node B controlled scheduling)のような技術を支援する。
【００１３】
図３は、典型的な無線リンクでＥ-ＤＣＨを通じたデータの伝送を示す。参照番号１００はＥ-ＤＣＨ１１１〜１１４を支援する基地局を、参照番号１０１〜１０４はＥ-ＤＣＨ１１１〜１１４を送信する端末を、それぞれ示す。
【００１４】
図３を参照すると、基地局１００は、端末１０１〜１０４のチャンネル状況を把握して各端末の上位データ伝送をスケジューリングする。このスケジューリングは、システム全体の性能を高めるために基地局１００の測定雑音増加(Noise Rise)値が目標雑音増加値を超えないようにする。したがって、基地局１００は、遠くにある端末１０４に低いデータ伝送率を割り当て、近くにある端末１０１に高いデータ伝送率を割り当てる。
【００１５】
図４は、典型的なＥ-ＤＣＨを通じたメッセージの送受信手順を示す。
【００１６】
図４を参照すると、段階２０２で、基地局と端末はＥ-ＤＣＨを設定する。段階２０２では、専用伝送チャンネル(Dedicated Transport Channel)を通じたメッセージの伝送段階を含む。段階２０４で、端末は基地局に端末状態情報を伝送する。端末状態情報は、端末送信電力情報と端末が送信できる余分の電力情報及び端末の基地局に送信されるべくバッファリングされたデータの量などがある。
【００１７】
基地局は、段階２０６で、各端末等のデータ伝送をスケジューリングするために前記複数の端末らからの端末状態情報をモニタリングする。段階２０８で、基地局は、端末からアップリンクパケット伝送を許可することに決定し、端末にスケジューリング割り当て(Scheduling Assignment)情報を伝送する。スケジューリング割り当て情報は許可されたデータ伝送率と許可タイミングなどが含まれる。
【００１８】
端末は、段階２１０で、スケジューリング割り当て情報に基づいてアップリンクに伝送するＥ-ＤＣＨの伝送形式(ＴＦ）を決定する。段階２１２，２１４で、端末は、Ｅ-ＤＣＨを通じてアップリンク(ＵＬ)パケットデータを伝送する同時にＴＦ情報、すなわちＴＦＲＩ(Transport Format Resource Indicator)を基地局に伝送する。段階２１６で、基地局は、ＴＦＲＩ情報とアップリンクパケットデータに誤りがあるか否かを判定する。段階２１８で、基地局は、上記の判定結果、ＴＦＲＩ及び逆方向パケットデータのうちいずれか一つでも誤りがある場合にＮＡＣＫ(Non-Acknowledge）信号を、これらすべてに誤りがない場合にＡＣＫ(Acknowledge）信号を端末に伝送する。
【００１９】
ＡＣＫ情報が伝送される場合に、パケットデータの伝送が完了して端末は新たなパケットデータをＥ-ＤＣＨを通じて基地局に伝送する。その反面、ＮＡＣＫ情報が伝送される場合に、端末は同じパケットデータをＥ-ＤＣＨを通じて基地局に再伝送する。
【００２０】
上記に説明したように、端末は、Ｅ-ＤＣＨのスケジューリングのために、端末状態情報を基地局に伝送する必要がある。特に、端末状態情報に含まれたアップリンク送信電力情報はスケジューリングに必要な重要な要素として作用する。したがって、アップリンク送信電力を示す情報を伝送する方法を具体化してＥ-ＤＣＨの動作を効率的に遂行するための技術を必要とする。
【発明の開示】
【発明が解決しようとする課題】
【００２１】
したがって、上記したような従来技術の問題点を解決するために、本発明の目的は、基地局がアップリンクデータ伝送をスケジューリングするのに必要な端末のアップリンク送信電力を示す情報を基地局に伝送する方法及び装置を提供することにある。
【００２２】
また、本発明の目的は、端末のアップリンク送信電力を示す情報をＥ-ＤＣＨの伝送チャンネルデータによって基地局に伝送する方法及び装置を提供することにある。
【課題を解決するための手段】
【００２３】
上記の目的を達成するために、本発明は、移動通信システムにおけるアップリンクデータ伝送のための端末(ＵＥ)状態情報の送信方法であって、伝送するアップリンクデータの量を監視してバッファ(ＢＯ)情報を生成する段階と、アップリンク送信電力状態(ＴＰＳ)を監視してＴＰＳ情報を生成する段階と、前記バッファ情報が現在時間区間(current  time  interval)に伝送されたか否かを判定する段階と、前記バッファ情報がＴＰＳ周期による現在時間区間に伝送された場合に、前記ＴＰＳ情報が現在時間区間に伝送されたか否かを判定する段階と、前記ＴＰＳ情報が現在時間区間に伝送された場合に、前記バッファ情報と前記ＴＰＳ情報を含むパケットデータユニット(ＰＤＵ)を生成する段階と、前記ＰＤＵを符号化及び変調して送信する段階とを有することを特徴とする。
【００２４】
また、本発明は、移動通信システムにおけるアップリンクデータ伝送のための端末状態情報の送信装置であって、アップリンクデータをバッファリングし、前記アップリングデータの量を監視してバッファ情報を生成するバッファと、アップリンク送信電力状態を監視してＴＰＳ情報を生成するためのＴＰＳ情報管理部と、前記バッファ情報が現在時間区間に伝送されたか否かを判定し、前記バッファ情報がＴＰＳ周期による現在時間区間に伝送された場合に前記ＴＰＳ情報が前記現在時間区間に伝送されたか否かを判定し、前記ＴＰＳ情報が前記現在時間区間に伝送された場合に前記バッファ情報と前記ＴＰＳ情報を含む端末状態情報を生成する端末状態情報生成部と、前記端末状態情報を含むＰＤＵを生成するためのＰＤＵ生成部と、前記ＰＤＵを符号化及び変調して送信する送信部とを含むことを特徴とする。
【００２５】
本発明は、移動通信システムにおけるアップリンクデータ伝送のための端末状態情報の送信方法であって、伝送するアップリンクデータの量を監視してバッファ情報を生成する段階と、アップリンク送信電力状態を監視してＴＰＳ情報を生成する段階と、前記バッファ情報が現在時間区間(current  time  interval)に伝送されたか否かを判定する段階と、前記バッファ情報が前記現在時間区間に伝送された場合に、前記ＴＰＳ情報の伝送イベントが発生したか否かを判定する段階と、前記ＴＰＳ情報の伝送イベントが発生した場合に、前記バッファ情報と前記ＴＰＳ情報を含むパケットデータユニットを生成する段階と、前記ＰＤＵを符号化及び変調して送信する段階とを有することを特徴とする。
【００２６】
さらに、本発明は、移動通信システムにおけるアップリンクデータ伝送のための端末状態情報の送信装置であって、アップリンクデータをバッファリングし、前記アップリングデータの量を監視してバッファ情報を生成するバッファと、アップリンク送信電力状態を監視してＴＰＳ情報を生成するためのＴＰＳ情報管理部と、前記バッファ情報が現在時間区間に伝送されたか否かを判定し、前記バッファ情報が前記現在時間区間に伝送された場合に前記ＴＰＳ情報の伝送イベントが発生したか否かを判定し、前記ＴＰＳ情報の伝送イベントが発生した場合に前記バッファ情報と前記ＴＰＳ情報を含む端末状態情報を生成する端末状態情報生成部と、前記端末状態情報を含むＰＤＵを生成するためのＰＤＵ生成部と、前記ＰＤＵを符号化及び変調して送信する送信部とを含むことを特徴とする。
【００２７】
また、本発明は、移動通信システムにおけるアップリンクデータ伝送のための端末状態情報の送信方法であって、伝送するアップリンクデータの量を監視してバッファ情報を生成する段階と、アップリンク送信電力状態を監視してＴＰＳ情報を生成する段階と、現在時間区間が、前記バッファ情報が伝送されるバッファ伝送区間であるか否かを判定する段階と、前記現在時間区間がバッファ伝送区間である場合に、前記バッファ情報とＴＰＳ情報を含むパケットデータユニットを生成する段階と、前記ＰＤＵを符号化及び変調して送信する段階と、を有することを特徴とする。
【００２８】
本発明は、移動通信システムにおけるアップリンクデータ伝送のための端末状態情報の送信装置であって、アップリンクデータをバッファリングし、前記アップリングデータの量を監視してバッファ情報を生成するバッファと、アップリンク送信電力状態を監視してＴＰＳ情報を生成するためのＴＰＳ情報管理部と、現在時間区間が前記バッファ情報が伝送されるバッファ伝送区間であるか否かを判定し、前記現在時間区間がバッファ伝送区間である場合に前記バッファ情報と前記ＴＰＳ情報を含む端末状態情報を生成する端末状態情報生成部と、前記端末状態情報を含むＰＤＵを生成するためのＰＤＵ生成部と、前記ＰＤＵを符号化及び変調して送信する送信部とを含むことを特徴とする。
【発明の効果】
【００２９】
本発明は、Ｅ-ＤＣＨを使用するＷＣＤＭＡ通信システムにおいて、アップリンクパケット伝送のための伝送率スケジューリングを遂行するのに必要な正確で且つ効率的なＴＰＳ伝送を提供する。端末は、ＴＰＳをＭＡＣ-ｅシグナリングによってＭＡＣ-ｅヘッダーに含めてＥ-ＤＣＨデータ伝送と共に基地局に伝送する。したがって、本発明は、物理チャンネルリソースを節約し、効率的にＴＰＳ伝送によってＥ-ＤＣＨの性能を改善させることができる効果を有する。
【発明を実施するための最良の形態】
【００３０】
以下、本発明の望ましい実施形態を添付の図面を参照して詳細に説明する。
【００３１】
下記に、本発明に関連した公知の機能又は構成に関する具体的な説明が本発明の要旨を不明にすると判断された場合に、その詳細な説明を省略する。
【００３２】
後述する本発明の主な要旨は、端末のＴＰＳを基地局に伝送することである。ここで、ＴＰＳは、端末のアップリンク最大送信電力、又は端末からの制御チャンネルのみの送信電力として表現される。また、ＴＰＳは、端末が送信できる最大の伝送率又は伝送形式として表現される。一方、アップリンク送信電力情報は、制御チャンネルの送信電力に対する最大送信電力の比率、すなわち端末の余分電力情報である。このように、ＴＰＳは、端末のアップリンクチャンネル状態を示す。
【００３３】
本発明の実施形態で、ＴＰＳは、ＭＡＣ情報を用いて基地局に伝送される。ＭＡＣ階層は、ＲＬＣ階層とＰＨＹ階層との間での中間接続制御(medium access control）を担当する。Ｅ-ＤＣＨが導入されることによって、図２に示すＭＡＣ階層構造が変化しつつ、既存のＤＣＨ(Dedicated  Channel)のために存在するＭＡＣ-ｄエンティティ(entity)と共にＥ-ＤＣＨの機能を担当するためのＭＡＣ-ｅエンティティが新たに定義される。ＭＡＣ-ｅエンティティは、ＭＡＣ-ｄエンティティとＰＨＹ階層との間に存在する。このＭＡＣ-ｅエンティティは、ＭＡＣ構造で処理され、そのフォーマットは図５に示すように変化する。
【００３４】
図５を参照すると、ＲＬＣ  ＰＤＵ５０１は、ＲＬＣ階層からＭＡＣ階層に伝送されるデータである。ＭＡＣ階層は、ＲＬＣ  ＰＤＵ５０１にＭＡＣヘッダーを追加してＭＡＣ  ＰＤＵを生成した後に、ＭＡＣ  ＰＤＵを物理階層に提供する。Ｅ-ＤＣＨが使用される場合に、ＭＡＣ階層は、ＭＡＣ-ｄエンティティとＭＡＣ-ｅエンティティに分けられ、ＭＡＣヘッダーは次の２つの段階を経て追加される。
【００３５】
ＭＡＣ-ｄエンティティは、ＲＬＣ階層から受信された一つ又は数個のＲＬＣ  ＰＤＵ５０１でＭＡＣ-ｄ  ＳＤＵ５０２を構成し、ＭＡＣ-ｄ  ＳＤＵ５０２にＭＡＣ-ｄヘッダー５０３を追加してＭＡＣ-ｄ  ＰＤＵ５０５を生成する。ＭＡＣ-ｄヘッダー５０３は、ＭＡＣ-ｄ  ＰＤＵ５０５に含まれる一つ又は数個のＲＬＣ  ＰＤＵ５０１が発生されたソース、すなわちＲＬＣエンティティを示す多重化情報を含む。
【００３６】
ＭＡＣ-ｄ  ＰＤＵ５０５は、ＭＡＣ-ｄエンティティに伝達される。ＭＡＣ-ｅエンティティは、一つ又は数個のＭＡＣ-ｄ  ＰＤＵ５０５でＭＡＣ-ｅ  ＳＤＵ５０４を構成し、ＭＡＣ-ｅ  ＳＤＵ５０４にＭＡＣ-ｅヘッダー５０６を追加してＭＡＣ-ｅ  ＰＤＵ５０７を生成する。ＭＡＣ-ｅヘッダーは、ＭＡＣ-ｅ  ＰＤＵ５０７に含まれる一つ或いはそれ以上のＭＡＣ-ｅ  ＳＤＵ５０４に関連した情報を含む。図５では、ＭＡＣ-ｅヘッダー５０６がＭＡＣ-ｅ  ＳＤＵ５０４の前に位置されるが、実際に、ＭＡＣ-ｅヘッダー５０６は、ＭＡＣ-ｄ  ＰＤＵ５０５を除いた、ＭＡＣ-ｅエンティティによって追加されるすべての情報を含むことが理解されるべきである。ＭＡＣ-ｅ  ＰＤＵ５０７は、伝送ブロック５０８に乗せられてＰＨＹ階層に伝送され、ＣＲＣ追加、チャンネル符号化、レートマッチングなどの伝送チャンネル処理を通じて受信側に伝送される。
【００３７】
下記に、図５に示した手順でデータ生成のための端末の動作について、図６を参照して説明する。
【００３８】
図６を参照すると、ＲＬＣ  ＰＤＵ６０１が受信されると、ＭＡＣ-ｄエンティティ６０２は、ＲＬＣ  ＰＤＵ６０１にＭＡＣ-ｄヘッダーを追加してＭＡＣ-ｄ  ＰＤＵを生成する。ＭＡＣ-ｅエンティティ６０３は、ＭＡＣ-ｄ  ＰＤＵにＭＡＣ-ｅヘッダーを追加した後にＭＡＣ-ｅ  ＰＤＵを生成する。ＭＡＣ-ｅ  ＰＤＵがＰＨＹ階層６０４に伝達されると、ＨＡＲＱ動作に含まれる伝送チャンネルプロセスを経てから物理チャンネルにマッピングされて伝送される（６０５）。図６に示すすべての手順は、一つの端末６１０で遂行される。
【００３９】
図７を参照して、Ｅ-ＤＣＨデータを受信する動作を説明する。図７を参照すると、基地局７０１は、ＰＨＹ階層７０３とＭＡＣ-ｅエンティティ７０４を含む。ＲＮＣ７０９は、ＭＡＣ-ｅｓエンティティ７０６と、ＭＡＣ-ｄエンティティ７０７と、上位階層(図示せず）とを含む。ＭＡＣ-ｅｓエンティティ７０６は、Ｅ-ＤＣＨに関連したシグナリングを遂行する。
【００４０】
基地局７０１は、Ｅ-ＤＣＨがマッピングされる物理チャンネルであるＥ-ＤＰＣＨ(Enhanced Dedicated Physical CHannel）の信号を受信し(７０２)、受信信号に対してＰＨＹ階層７０３でＨＡＲＱを含む伝送チャンネル処理過程を遂行する。この伝送ブロックは、ＭＡＣ-ｅエンティティ７０４に提供される。ＭＡＣ-ｅエンティティ７０４は、基地局７０１に必要な情報を含むＭＡＣ-ｅヘッダーを伝送ブロックから抽出し、ＭＡＣ-ｅヘッダーを解析する。ＭＡＣ-ｅエンティティ７０４の出力は、Ｉｕｂインターフェース７０５を通じてＲＮＣ７０９のＭＡＣ-ｅｓエンティティ７０６に提供される。
【００４１】
図７に示すように、ＭＡＣ-ｅは、ＭＡＣ-ｅヘッダーの情報が基地局７０１で必要な情報とＲＮＣ７０９で必要な情報に区分可能であるため、基地局７０１とＲＮＣ７０９に分けられて存在する。したがって、Ｉｕｂインターフェース７０５を通じてＭＡＣ-ｅｓエンティティ７０６に含まれたデータは、全体ＭＡＣ-ｅヘッダーを含むＭＡＣ-ｅ ＰＤＵであり、或いは基地局７０１に対して必要な情報を除いたＲＮＣ７０９で必要とする情報のみを含むＭＡＣ-ｅ  ＰＤＵである。
【００４２】
ＭＡＣ-ｅｓエンティティ７０６は、受信されたＭＡＣ-ｅ ＰＤＵからＭＡＣ-ｅヘッダーを抽出し、ＭＡＣ-ｄ  ＰＤＵを出力する。ＭＡＣ-ｄエンティティ７０７は、ＭＡＣ-ｄ  ＰＤＵからＭＡＣ-ｄヘッダーを抽出して解析した後にＲＬＣ  ＰＤＵ７０８に出力する。ＲＬＣ  ＰＤＵ７０８は、ＲＬＣ階層を含む上位階層(図示せず)で適切に処理される。
【００４３】
ＭＡＣ-ｅヘッダーに含まれたセットされた基地局が必要とする情報は、端末状態情報を含む。端末状態情報は、端末が伝送しようとするアップリンクデータの量を示すバッファ情報(Buffer Occupancy：以下、“ＢＯ”とする）と、アップリンク状態情報を示すＴＰＳ情報(Transmission Power Status：以下、“ＴＰＳ”とする)を有する。バッファ情報は、周期的(Periodic)或いはイベント発生的に(Event-Triggered)伝送される。バッファ情報の伝送を発生(Trigger)させるイベントとしては、新たなデータがＥ-ＤＣＨ伝送のためのバッファに入力される場合、或いはバッファデータの量がしきい値を超過した場合を含む。ここで、バッファ情報の伝送方式は予め定められていると仮定する。
【００４４】
端末は、ＴＰＳを伝送するためにＭＡＣ-ｅ  ＰＤＵを用いる。特に、端末は、Ｅ-ＤＣＨを通じてＭＡＣ-ｅヘッダー５０６でＴＰＳを伝送する。
【００４５】
ＴＰＳは、ＢＯと共に、基地局制御スケジューリング(Node B controlled scheduling)のために必要な情報である。基地局は、ＭＡＣ-ｅヘッダーに含まれたＴＰＳを解析し、ＲＮＣのＭＡＣ-ｅｓエンティティでＴＰＳのＭＡＣ-ｅ  ＰＤＵ、或いはＴＰＳを除いたＭＡＣ-ｅ ＰＤＵ(すなわち、ＭＡＣ-ｅｓ  ＰＤＵ)を伝送する。本発明では、ＢＯやＴＰＳのような制御情報の伝送をＭＡＣ-ｅヘッダーに含めて伝送する方法をＭＡＣ-ｅシグナリングと称する。
【００４６】
代わりに、端末は、ＴＰＳを含むＭＡＣ-ｅ制御ＰＤＵを、特に図５に示したＭＡＣ-ｅＳＤＵ５０４で伝送することができる。ＭＡＣ-ｅヘッダー５０６の代わりにペイロード５０４にＴＰＳを挿入して伝送する過程は、本発明でＭＡＣ-ｅ制御ＰＤＵシグナリングと呼ばれる。端末は、ＭＡＣ-ｅ制御ＰＤＵシグナリングの使用可否をＥ-ＴＦＩ(Enhanced TF Index)を用いて基地局に通報する。ＭＡＣ-ｅ制御ＰＤＵシグナリングによるＭＡＣ-ｅ制御ＰＤＵを受信すると、基地局は、ＭＡＣ-ｅ制御ＰＤＵをＲＮＣに伝送しないこともある。
【００４７】
下記に、本発明の実施形態で端末がＭＡＣ-ｅシグナリングを用いてＴＰＳを基地局に伝送する方法について具体的に説明する。ＭＡＣ-ｅ制御ＰＤＵシグナリングはＭＡＣ-ｅシグナリングから実現されるため、ＭＡＣ-ｅ制御ＰＤＵシグナリングによるＴＰＳ伝送については具体的に言及しない。
【００４８】
＜第１の実施形態＞
図８は、本発明の第１の実施形態により、Ｅ-ＤＣＨのスケジューリングのために端末からのＭＡＣ-ｅヘッダーを用いるＴＰＳ伝送を示す。
図８を参照すれば、新たなデータがバッファリングされた場合に、端末８０４は、ＢＯ及びＴＰＳ８０６をＥ-ＤＣＨ８０５を通じてまず基地局８０１に伝送する。ＢＯ及びＴＰＳ８０６は、初期ＭＡＣ-ｅ ＰＤＵに含まれる。初期ＭＡＣ-ｅ ＰＤＵは、データなしにＢＯ又は/及びＴＰＳをＭＡＣ-ｅヘッダーに含み、ＭＡＣ-ｅシグナリングによって伝送する。初期ＭＡＣ-ｅ ＰＤＵは、Ｅ-ＤＣＨを通じたデータの伝送開始を基地局に知らせる意味で使用される。
【００４９】
Ｅ-ＤＣＨ８０５を通じてＢＯ又は/及びＴＰＳを受信した場合に、基地局８０１は、ＢＯからＥ-ＤＣＨデータの存在有無を判定し、ＢＯとＴＰＳに基づいてＥ-ＤＣＨデータのスケジューリングを遂行する。すると、基地局８０１は、スケジューリングの結果として、スケジューリング許可(grant)チャンネル８０２を通じてスケジューリング許可情報を端末８０４に伝送する。スケジューリング許可情報としては、使用可能なリソースの絶対値を示す絶対グラント(Absolute grant)と、使用可能なリソースを既存リソースと比較して相対値を示す相対グラント(Relative grant)がある。基地局８０１は、ＭＡＣ-ｅ ＰＤＵを受信し、ＨＡＲＱ動作を遂行し、ＡＣＫ/ＮＡＣＫチャンネル８０３を通じてＡＣＫ/ＮＡＣＫ信号を端末８０４に伝送する。
【００５０】
端末８０４は、スケジューリング許可情報とＡＣＫ/ＮＡＣＫ信号に基づいてＥ-ＤＣＨを送信する。本発明の第１の実施形態により、端末は、Ｅ-ＤＣＨデータが存在する場合のみにＴＰＳをＭＡＣ-ｅヘッダーを用いて伝送する。Ｅ-ＤＣＨ伝送区間８０７及び８０８で、すべてのＭＡＣ-ｅ  ＰＤＵは常にＭＡＣ-ｅヘッダーにＴＰＳを含む。
【００５１】
一方、Ｅ-ＤＣＨデータが存在しない時間区間(time  interval)８０７の以前区間で、ＴＰＳは伝送されない。但し、ＢＯ伝送区間で、ＴＰＳはＢＯと共に伝送されることもできる。バッファにデータはあるが、端末８０４がスケジューリングによって、或いは他の理由によってデータを送信しない時間区間８１０で、ＴＰＳは伝送されない。バッファが空くようになると、端末８０４は、参照番号８０９に示すように、ＴＰＳの伝送を中止する。
【００５２】
基地局８０１は、ＭＡＣ-ｅ ＰＤＵが受信される度に、各ＭＡＣ-ｅ ＰＤＵからＢＯ及び/又はＴＰＳを抽出し、これらＢＯ及び/又はＴＰＳに基づいてスケジューリングを遂行する。
【００５３】
＜第２の実施形態＞
図９は、本発明の第２の実施形態により、Ｅ-ＤＣＨのスケジューリングのために端末からの周期的なＴＰＳ伝送を示す。
【００５４】
端末は、ＴＰＳを所定のＴＰＳ周期ごとに伝送する。ＴＰＳ周期による時間区間でＥ-ＤＣＨデータが存在する場合に、ＴＰＳは、Ｅ-ＤＣＨデータと共にＭＡＣ-ｅ ＰＤＵに伝送される。Ｅ-ＤＣＨデータが存在しない場合に、ＭＡＣ-ｅ ＰＤＵはＴＰＳのみを含む。
【００５５】
図９を参照すると、端末９０４は、新たなデータがバッファリングされた場合に、Ｅ-ＤＣＨ９０５を通じて初期ＭＡＣ-ｅ  ＰＤＵでＢＯ及びＴＰＳ９０６を基地局９０１にまず伝送する。この初期ＭＡＣ-ｅ  ＰＤＵは、ペイロードにデータなしにＢＯ又は/及びＴＰＳのみをＭＡＣ-ｅヘッダに含み、ＭＡＣ-ｅシグナリングによって伝送される。
【００５６】
ＢＯ又は/及びＴＰＳを受信すると、基地局９０１は、ＢＯから端末９０４がＥ-ＤＣＨデータを有するか否かを判定し、ＢＯとＴＰＳに基づいてスケジューリングを遂行する。スケジューリングの結果、基地局９０１は、スケジューリング許可チャンネル９０２を通じてスケジューリング許可情報を端末９０４に伝送する。スケジューリング許可情報は、絶対グラント又は相対グラントである。基地局９０１は、ＭＡＣ-ｅ ＰＤＵを受信し、ＨＡＲＱ動作を遂行し、ＡＣＫ/ＮＡＣＫチャンネル９０３を通じてＡＣＫ/ＮＡＣＫ信号を端末９０４に伝送する。
【００５７】
端末９０４は、スケジューリング許可情報とＡＣＫ/ＮＡＣＫ信号に基づいてＥ-ＤＣＨデータを伝送する。本発明の第２の実施形態によると、端末９０４は、所定のＴＰＳ周期９１０ごとにＴＰＳを伝送する。例えば、Ｅ-ＤＣＨデータが存在する場合に、端末９０４は、Ｅ-ＤＣＨデータと共にＭＡＣ-ｅ  ＰＤＵのＭＡＣ-ｅヘッダーでＴＰＳを伝送する。また、Ｅ-ＤＣＨデータが存在しない場合に、ＵＥ９０４は、ＴＰＳのみを含むＭＡＣ-ｅ ＰＤＵを伝送する。すなわち、ＴＰＳを含むＭＡＣ-ｅ ＰＤＵは、ＴＰＳ周期９１０による間隔を有する時間区間９０７，９０８，９０９で伝送される。
【００５８】
この時間区間９０７，９０８，９０９は、ＨＡＲＱプロセスにおいて、ＡＣＫ信号が以前のＭＡＣ-ｅ ＰＤＵに対して受信された場合、又は以前のＭＡＣ-ｅ ＰＤＵの伝送回数が最大回数に至った場合に限定される。言い換えれば、ＴＰＳは、初期伝送が可能な区間のみで伝送可能である。すべての条件を考慮した場合に、ＴＰＳの伝送できる区間は、ＴＰＳ周期９１０の満了後にＴＰＳの伝送が可能な最も早い区間、すなわちＴＰＳ周期９１０が満了し、初期伝送ＭＡＣ-ｅ ＰＤＵが生成されたときに、端末９０４は、ＴＰＳを初期伝送ＭＡＣ-ｅ ＰＤＵのＭＡＣ-ｅヘッダーで伝送する。ＴＰＳ周期９１０は、予め定められた固定値が使用され、或いは上位階層シグナリングを通じてＲＮＣから端末と基地局にＲＲＣ(Radio  Resource Control)とＮＢＡＰ(Node B Application Part)プロトコルを用いて各々伝送する。
【００５９】
ＢＯ伝送区間９１１で、ＢＯ伝送区間９１１がＴＰＳ周期９１０によりＴＰＳ伝送が許可された時間区間でなくても、ＴＰＳもＭＡＣ-ｅヘッダーで伝送されることができる。
【００６０】
時間区間９０７の以前に、すなわちＥ-ＤＣＨデータが伝送される以前には、Ｅ-ＤＣＨデータの伝送開始を示す最初のＢＯが伝送される区間９０６を除き、ＴＰＳ周期９１０に関係なくＴＰＳは伝送されない。また、Ｅ-ＤＣＨデータをこれ以上伝送する必要がなくなる場合に、すなわち端末９０４のバッファが空くようになると、端末９０４は、参照番号９１２で示すＴＰＳの伝送を止めるようになる。
【００６１】
基地局はＢＯとＴＰＳだけを含む初期ＭＡＣ-ｅ ＰＤＵを受信した以後、データを含む最初のＭＡＣ-ｅ ＰＤＵからＴＰＳを抽出する。すると、基地局９０４は、ＴＰＳ周期９１０による区間で受信されるＭＡＣ-ｅ ＰＤＵからＴＰＳを抽出する。
【００６２】
＜第３の実施形態＞
図１０は、本発明の第３の実施形態により、端末がＥ-ＤＣＨのスケジューリングに必要なＴＰＳをイベント発生的に(Event-triggered)伝送する方法を示す。
【００６３】
端末は、予め定められたイベントを満たす場合に、ＴＰＳを伝送する。イベントを発生し、Ｅ-ＤＣＨデータが存在する場合に、端末は、Ｅ-ＤＣＨデータとＴＰＳをＭＡＣ-ｅ  ＰＤＵで伝送する。Ｅ-ＤＣＨデータが存在しない場合には、端末は、ＴＰＳのみを含むＭＡＣ-ｅ  ＰＤＵを伝送する。
【００６４】
図１０を参照すると、新たなデータがバッファリングされると、端末１００４は、ＢＯとＴＰＳ１００６を基地局１００１にＥ-ＤＣＨ１００５を通じてまず伝送する。この初期ＭＡＣ-ｅ ＰＤＵは、データなしにＢＯ又は/及びＴＰＳのみを含み、ＭＡＣ-ｅシグナリングによって伝送される。
【００６５】
ＢＯ又は/及びＴＰＳを受信すると、基地局１００１は、ＢＯから端末１００４がＥ-ＤＣＨデータを有するか否かを判定し、ＢＯとＴＰＳに基づいてスケジューリングを遂行する。スケジューリングの結果、基地局１００１は、スケジューリング許可チャンネル１００２を通じてスケジューリング許可情報を端末１００４に伝送する。スケジューリング許可情報は、絶対グラント又は相対グラントである。基地局１００１は、ＭＡＣ-ｅ ＰＤＵを受信し、ＨＡＲＱ動作を遂行し、ＡＣＫ/ＮＡＣＫチャンネル１００３を通じてＡＣＫ/ＮＡＣＫ信号を端末１００４に伝送する。
【００６６】
端末１００４は、スケジューリング許可情報とＡＣＫ/ＮＡＣＫ信号に基づいてＥ-ＤＣＨデータを伝送する。本発明の第３の実施形態によると、端末は、所定のイベントの発生可否を判定する。イベントが発生した場合に、端末１００４は、ＴＰＳをＭＡＣ-ｅ ＰＤＵで伝送する。より具体的に説明すると、Ｅ-ＤＣＨデータが存在する場合に、端末１００４は、Ｅ-ＤＣＨデータを含むＭＡＣ-ｅ ＰＤＵのＭＡＣ-ｅヘッダーでＴＰＳを伝送する。Ｅ-ＤＣＨデータが存在しない場合には、端末１００４は、ＴＰＳのみを含むＭＡＣ-ｅ ＰＤＵを伝送する。
【００６７】
例えば、以前のＭＡＣ-ｅ  ＰＤＵに伝送されたＴＰＳと現在のＴＰＳとの差が所定のしきい値を超えた場合に、ＴＰＳ伝送であるイベントが発生する。端末１００４は、イベントが発生した直後のデータ伝送区間でＭＡＣ-ｅヘッダーでＴＰＳを伝送する。このしきい値は、予め定められた固定値を使用し、或いはＲＲＣとＮＢＡＰを通じた上位シグナリングによってＲＮＣから端末と基地局に各々通報される。ＴＰＳを伝送するための色々なイベントが定義されることができる。
【００６８】
時間区間１００９で、端末１００４が予め定められたイベントの発生を検出すると、次の時間区間１０１０でＴＰＳをＭＡＣ-ｅヘッダーで伝送する。時間区間１０１０は、ＨＡＲＱプロセスにおいて、以前のＭＡＣ-ｅ ＰＤＵに対してＡＣＫ信号が受信される場合、以前のＭＡＣ-ｅ ＰＤＵの伝送回数が最大伝送回数に至った場合に限定されることができる。すなわち、ＴＰＳは、初期伝送が可能な場合のみに伝送されることができる。すべての条件を考慮すると、ＴＰＳの伝送可能区間は、イベントが発生した後にＴＰＳの伝送が可能な最も早い区間、すなわちイベントが発生した後に初期伝送ＭＡＣ-ｅ ＰＤＵが発生したときに、端末１００４は、ＴＰＳを初期伝送ＭＡＣ-ｅ ＰＤＵのＭＡＣ-ｅヘッダーで伝送する。
【００６９】
ＢＯ伝送区間１００８で、イベントが以前の時間区間でＢＯ伝送区間１００８に発生しなくても、ＴＰＳはＭＡＣ-ｅヘッダーで伝送されることができる。
【００７０】
時間区間１００７の以前に、すなわちＥ-ＤＣＨデータが伝送される以前には、Ｅ-ＤＣＨデータの伝送開始を示す最初のＢＯが伝送される区間１００６を除き、イベントが発生してもＴＰＳは伝送されない。また、Ｅ-ＤＣＨデータをこれ以上伝送する必要がなくなる場合に、すなわち端末１００４のバッファが空くようになると、端末１００４は参照番号１０１１で示すＥ-ＤＣＨデータの伝送を止めるようになる。
【００７１】
基地局は１００１がＭＡＣ-ｅ ＰＤＵを受信する度に、各ＭＡＣ-ｅ ＰＤＵに含まれたＭＡＣ-ｅシグナリングインジケータビットに基づいてＭＡＣ-ｅ ＰＤＵがＴＰＳを含むか否かを判定する。ＭＡＣ-ｅシグナリングインジケータビットがＴＰＳの存在を示す場合に、基地局１００１は、ＭＡＣ-ｅ ＰＤＵからＴＰＳを抽出してスケジューリングに用いる。
【００７２】
＜第４の実施形態＞
図１１は、本発明の第４の実施形態により、Ｅ-ＤＣＨのスケジューリングのための端末からの周期的又はイベント発生的なＴＰＳ伝送を示す。
【００７３】
端末は、予め定められたイベントを満たす場合だけでなく、予め定められたＴＰＳ周期にＴＰＳを伝送する。端末は、このイベントを満たす場合にＴＰＳを伝送し、また、ＴＰＳ周期で逆方向ＴＰＳ伝送をし、このエベントによる伝送が失敗した場合に、周期的な伝送を通じて逆方向ＴＰＳの安定的な伝送を保証する。具体的に、上記イベントを満たし、ＴＰＳ周期が満了したときに伝送するＥ-ＤＣＨデータが存在すると、端末はＥ-ＤＣＨデータを含むＭＡＣ-ｅ  ＰＤＵのＭＡＣ-ｅヘッダーで逆方向ＴＰＳを伝送する。伝送するＥ-ＤＣＨデータがない場合には、ＭＡＣ-ｅ  ＰＤＵはＴＰＳのみを含む。
【００７４】
図１１を参照すると、端末１００４は、新たなデータがバッファリングされた場合に、Ｅ-ＤＣＨ１１０５を通じて初期ＭＡＣ-ｅ  ＰＤＵでＢＯ及びＴＰＳ１１０６を基地局１１０１にまず伝送する。この初期ＭＡＣ-ｅ  ＰＤＵは、ペイロードにデータなしにＢＯ又は/及びＴＰＳのみをＭＡＣ-ｅヘッダーに含み、ＭＡＣ-ｅシグナリングによって伝送される。
【００７５】
ＢＯ又は/及びＴＰＳを受信すると、基地局１１０１は、ＢＯから端末１１０４がＥ-ＤＣＨデータを有するか否かを判定し、ＢＯとＴＰＳに基づいてスケジューリングを遂行する。スケジューリングの結果、基地局１１０１は、スケジューリング許可チャンネル１１０２を通じてスケジューリング許可情報を端末１１０４に伝送する。スケジューリング許可情報は、絶対グラント又は相対グラントである。基地局１１０１は、ＭＡＣ-ｅ ＰＤＵを受信し、ＨＡＲＱ動作を遂行し、ＡＣＫ/ＮＡＣＫチャンネル１１０３を通じてＡＣＫ/ＮＡＣＫ信号を端末１１０４に伝送する。
【００７６】
端末１１０４は、スケジューリング許可情報とＡＣＫ/ＮＡＣＫ信号に基づいてＥ-ＤＣＨデータを伝送する。本発明の第４の実施形態によると、端末１１０４は、所定のＴＰＳ周期１１１１ごとにＴＰＳを伝送する。これと並行して、端末１１０４は、イベントが発生した場合に、追加でＴＰＳを伝送する。Ｅ-ＤＣＨデータが存在した場合に、端末１１０４は、Ｅ-ＤＣＨデータを含むＭＡＣ-ｅ  ＰＤＵのＭＡＣ-ｅヘッダーでＴＰＳを伝送する。一方、端末１１０４は、データが存在しない場合には、ＴＰＳのみを含むＭＡＣ-ｅ ＰＤＵを伝送する。
【００７７】
例えば、以前のＭＡＣ-ｅ  ＰＤＵに伝送されたＴＰＳと現在のＴＰＳとの差が一定のしきい値を超えた場合に、ＴＰＳ送信イベントが発生する。端末１１０４は、イベントが発生した直後の時間区間でＭＡＣ-ｅヘッダーでＴＰＳを伝送する。しきい値は、予め定められた固定値であり、或いはＲＲＣとＮＢＡＰの上位シグナリングによってＲＮＣから端末と基地局に通報される。ＴＰＳを伝送するための他の多様なイベントが定義されることができる。また、ＴＰＳ周期１１１１は、予め定められた固定値であり、或いはＲＲＣとＮＢＡＰの上位シグナリングによって端末と基地局に通報される。
【００７８】
時間区間１１０７，１１０９，１１１０で、端末１１０４は、ＴＰＳ周期１１１１によりＴＰＳを伝送する。また、端末１１０４が時間区間１１１２でイベントの発生を検出した場合に、次の時間区間１１１３でＴＰＳを伝送する。この時間区間１１０７，１１０９，１１１０及び１１１３は、ＨＡＲＱプロセスにおいて、ＡＣＫ信号が以前のＭＡＣ-ｅ ＰＤＵに対して受信された場合、又は以前のＭＡＣ-ｅ ＰＤＵの伝送回数が最大回数に至った場合に限定される。言い換えれば、ＴＰＳは、初期伝送が可能な区間のみで伝送が可能である。
【００７９】
したがって、すべての条件を考慮した場合に、ＴＰＳの伝送できる区間は、ＴＰＳ周期１１１１の満了又はイベント発生後にＴＰＳの伝送が可能な最も早い区間、すなわちＴＰＳ周期１１１１が満了し、又はイベントが発生され、初期伝送ＭＡＣ-ｅ ＰＤＵが生成されたときに、端末１１０４は、ＴＰＳを初期伝送ＭＡＣ-ｅ ＰＤＵのＭＡＣ-ｅヘッダーで伝送する。
【００８０】
ＢＯ伝送区間１１０８で、ＢＯ伝送区間１１０８がＴＰＳ周期１１１１によりＴＰＳ伝送が許可された伝送区間でも、次のイベント発生伝送区間でもなくても、ＴＰＳはＭＡＣ-ｅヘッダーで伝送されることができる。
【００８１】
伝送区間１１０７の以前に、すなわちＥ-ＤＣＨデータが伝送される以前には、Ｅ-ＤＣＨデータの伝送開始を示す最初ＢＯ伝送区間１１０６を除き、ＴＰＳ周期１１１１及びイベントに関係なくＴＰＳは伝送されない。時間区間１１０６で、ＴＰＳとＢＯは共に伝送される。また、Ｅ-ＤＣＨデータをこれ以上伝送する必要がなくなる場合、すなわち端末１１０４のバッファが空くようになる場合に、端末１１０４は、参照番号１１１４で示すＥ-ＤＣＨデータの伝送を止めるようになる。
【００８２】
基地局１１０１は、ＢＯとＴＰＳのみを含む初期ＭＡＣ-ｅ ＰＤＵを受信した以後、データを含む最初ＭＡＣ-ｅ ＰＤＵからＴＰＳを抽出する。すると、基地局１１０４は、ＴＰＳ周期１１１１による区間で受信されるＭＡＣ-ｅ ＰＤＵからＴＰＳを抽出する。また、基地局は１１０１がＭＡＣ-ｅ ＰＤＵを受信する度に、各ＭＡＣ-ｅ ＰＤＵに設定されたＭＡＣ-ｅシグナリングインジケータビットに基づいてＭＡＣ-ｅ ＰＤＵがＴＰＳを含むか否かを判定する。ＴＰＳが存在する場合に、基地局１１０１は、ＭＡＣ-ｅ ＰＤＵからＴＰＳを抽出してスケジューリングに用いる。
【００８３】
＜第５の実施形態＞
図１２は、本発明の第５の実施形態により、Ｅ-ＤＣＨスケジューリングのための端末から周期的なイベント発生のＴＰＳ伝送を示す。
【００８４】
端末は、予め定められたＴＰＳ周期を監視する。予め定められたイベントをＴＰＳ周期の満了した時点で満たす場合に、端末はＴＰＳを伝送する。ＴＰＳ周期が満了し、イベントが発生した場合に、Ｅ-ＤＣＨデータが存在すると、ＴＰＳは、ＭＡＣ-ｅ  ＰＤＵでＥ-ＤＣＨを共に伝送する。Ｅ-ＤＣＨデータが存在しない場合には、ＭＡＣ-ｅ  ＰＤＵはＴＰＳのみを含む。  
【００８５】
図１２を参照すると、端末１２０４は、新たなデータがバッファリングされた場合に、Ｅ-ＤＣＨ１２０５を通じて初期ＭＡＣ-ｅ  ＰＤＵでＢＯ及びＴＰＳ１２０６を基地局１２０１にまず伝送する。この初期ＭＡＣ-ｅ  ＰＤＵは、ペイロードにデータなしにＢＯ又は/及びＴＰＳのみをＭＡＣ-ｅヘッダーに含み、ＭＡＣ-ｅシグナリングによって伝送される。
【００８６】
ＢＯ又は/及びＴＰＳを受信すると、基地局１２０１は、ＢＯから端末１１０４がＥ-ＤＣＨデータを有するか否かを判定し、ＢＯとＴＰＳに基づいてスケジューリングを遂行する。スケジューリングの結果、基地局１２０１は、スケジューリング許可チャンネル１２０２を通じてスケジューリング許可情報を端末１２０４に伝送する。スケジューリング許可情報は、絶対グラント又は相対グラントとなる。基地局１２０１は、ＭＡＣ-ｅ ＰＤＵを受信し、ＨＡＲＱ動作を遂行し、ＡＣＫ/ＮＡＣＫチャンネル１２０３を通じてＡＣＫ/ＮＡＣＫ信号を端末１２０４に伝送する。
【００８７】
端末１２０４は、スケジューリング許可情報とＡＣＫ/ＮＡＣＫ信号に基づいてＥ-ＤＣＨデータを伝送する。本発明の第５の実施形態によると、端末１２０４は、ＴＰＳ周期１２１０によって定義された時間区間１２０７，１２０９，１２１１でイベントが発生したが否かを判定し、イベントが発生した時間区間１２１１でＴＰＳを伝送する。Ｅ-ＤＣＨデータが存在すると、端末１２０４は、Ｅ-ＤＣＨデータと共にＭＡＣ-ｅ  ＰＤＵのＭＡＣ-ｅヘッダーでＴＰＳを伝送する。Ｅ-ＤＣＨデータが存在しない場合には、端末１２０４は、ＴＰＳのみを含むＭＡＣ-ｅ  ＰＤＵを伝送する。
【００８８】
例えば、以前のＴＰＳと現在のＴＰＳとの差が所定のしきい値を超えた場合に、ＴＰＳ送信イベントが発生する。端末１２０４は、イベントが発生した直後のデータ伝送区間でＭＡＣ-ｅヘッダーでＴＰＳを伝送する。このしきい値は、予め定められた固定値を使用し、或いはＲＲＣとＮＢＡＰの上位シグナリングによってＲＮＣから端末と基地局に各々通報される。
【００８９】
ＴＰＳを伝送するための色々なイベントが定義されることができる。ＴＰＳ周期１２１０は、予め定められた固定値で、或いはＲＲＣ及びＮＢＡＰ上位シグナリングによって端末と基地局に通報される。
【００９０】
ＴＰＳ周期１２１０による時間間隔を有する時間区間１２０７，１２０９，１２１１で、端末１２０４は、以前の伝送区間でイベントが発生したか否かを判定する。時間区間１２１２でイベントが発生すると、端末１２０４は、次の時間区間１２１１でＴＰＳを伝送する。時間区間１２０７，１２０９で、ＴＰＳ周期１２１０が満了したがイベントが発生しないため、ＴＰＳが伝送されない。ＴＰＳを有する時間区間１２１１は、ＨＡＲＱプロセスにおいて、ＡＣＫ信号が以前のＭＡＣ-ｅ ＰＤＵに対して受信された場合、又は以前のＭＡＣ-ｅ ＰＤＵの伝送回数が最大回数に至った場合に限定される。言い換えれば、ＴＰＳは、初期伝送が可能な区間のみで伝送が可能である。
【００９１】
したがって、すべての条件を考慮した場合に、ＴＰＳの伝送できる区間は、イベントの発生後にＴＰＳ周期１２１０が満了した場合に、端末１２０４は、最も早い伝送区間で初期伝送ＭＡＣ-ｅ  ＰＤＵのＭＡＣ-ｅヘッダーでＴＰＳを伝送する。
【００９２】
ＢＯ伝送区間１２０８で、ＴＰＳは、ＴＰＳ周期１２１０がイベントの発生後にＢＯ伝送区間１２０８で満了しても、ＭＡＣ-ｅヘッダーで伝送されることができる。
【００９３】
伝送区間１２０７の以前に、すなわちＥ-ＤＣＨデータが伝送される以前には、Ｅ-ＤＣＨデータの伝送開始を示す最初ＢＯ伝送区間１１０６を除き、ＴＰＳ周期１２１０及びイベントに関係なくＴＰＳが伝送されない。伝送区間１２０６で、ＴＰＳとＢＯは共に伝送される。また、Ｅ-ＤＣＨデータをこれ以上伝送する必要がなくなる場合、すなわち端末１２０４のバッファが空くようになる場合に、端末１２０４は、参照番号１２１３で示すＥ-ＤＣＨデータの伝送を止めるようになる。
【００９４】
基地局１２０１は、ＭＡＣ-ｅ ＰＤＵを受信する度に、各ＭＡＣ-ｅ ＰＤＵに設定されたＭＡＣ-ｅシグナリングインジケータビットに基づいてＭＡＣ-ｅ ＰＤＵがＴＰＳを含むか否かを判定する。ＴＰＳが存在する場合に、基地局１２０１は、ＭＡＣ-ｅ ＰＤＵからＴＰＳを抽出してスケジューリングに用いる。
【００９５】
＜第６の実施形態＞
本発明の第６の実施形態で、端末は、ＭＡＣ-ｅシグナリングを用いてＢＯとＴＰＳを共にＢＯ及びＴＰＳ伝送時間で伝送する。
【００９６】
このようにＢＯ伝送はＢＯ伝送時間に、ＴＰＳ伝送はＴＰＳ伝送時間に限定すると、ＭＡＣ-ｅ  ＰＤＵは非常に多様なサイズを有する。その結果、ＭＡＣ-ｅ ＰＤＵのサイズ情報をＥ-ＤＣＨ制御チャンネルであるＥ-ＤＰＣＣＨ(Enhanced-Dedicated Physical Control CHannel）を通じて伝送するためのＰＨＹ階層のシグナリング情報の量を増加することができる。したがって、端末は、所定サイズのＢＯフィールド及び所定サイズのＴＰＳフィールドを割り当て、これらＢＯ又はＴＰＳのうちいずれか一つでも伝送が必要である場合に、端末は、これらＢＯ及びＴＰＳを常に２つのフィールドで同時に伝送する。したがって、ＭＡＣ-ｅ ＰＤＵサイズの個数が減少し、ＭＡＣ-ｅ ＰＤＵのサイズの量は両を示す情報のサイズを縮小することができる。
【００９７】
本発明の以前の実施形態のようにＢＯとＴＰＳが相互に独立的に伝送されると、それぞれのＭＡＣ-ｅ ＰＤＵに対して４つのＭＡＣ-ｅシグナリング種類、すなわちＢＯのみ、ＴＰＳのみ、２つの情報を共に、何も伝送されない場合を各々示すために、物理的に２ビットの情報フィールドが必要である。しかしながら、ＢＯとＴＰＳを共に伝送されると、２つのＭＡＣ-ｅシグナリングタイプ、すなわちＢＯ及びＴＰＳが共に伝送される場合と何も伝送されない場合を示すために物理的に１ビットの情報フィールドのみを必要とする。したがって、ＭＡＣ-ｅシグナリングを指示するために必要なビットの個数を減少させる。
【００９８】
ＴＰＳは、予め定められたＴＰＳ周期、又はイベント発生方法、又は上述した実施形態の組合を通じてＭＡＣ-ｅシグナリングのみによって伝送される。ＢＯは、同一の方法でＭＡＣ-ｅシグナリングによって伝送される。したがって、ＢＯとＴＰＳの伝送条件が各々設定されると、これら条件のうちいずれか一つでも満たされた場合に、ＢＯとＴＰＳは共にＭＡＣ-ｅシグナリングを用いて伝送される。
【００９９】
ＢＯ周期はＴＰＳ周期と同一で、或いは異なるように設定され、ＢＯとＴＰＳ伝送区間は個別的に設定される。例えば、ＢＯは、データが端末のＥ-ＤＣＨバッファに最初にバッファリングされたときに、初期伝送される。ＢＯ伝送のためのイベントは、Ｅ-ＤＣＨバッファに新たなデータがバッファリングされ、或いはバッファリングされたデータがしきい値を満たす場合に定義されうる。ＴＰＳの伝送イベントは、チャンネル状態の変化が大きく、或いはチャンネル状態が劣ることにより定義されることができる。
【０１００】
ＢＯ及びＴＰＳのサイズは一定し、ＢＯ及びＴＰＳサイズ情報とＥ-ＤＣＨデータはＭＡＣ-ｅ  ＰＤＵ又はＭＡＣ-ｅシグナリングを形成する。すなわち、ＭＡＣ-ｅシグナリングに使用されるＭＡＣ-ｅ ＰＤＵは、ＢＯフィールドとＴＰＳフィールドを含んで構成し、これらフィールドは、ＭＡＣ-ｅシグナリングが遂行された場合にＢＯとＴＰＳを含んで構成される。
【０１０１】
端末は、伝送区間ごとにＢＯ周期又はＴＰＳ周期が満了したか否かを判定する。ＢＯ周期とＴＰＳ周期の何も満了しないと、端末は、ＢＯイベント又はＴＰＳイベントが発生したか否かを判定する。ＢＯ周期とＴＰＳ周期のうちいずれか一つが満了した場合、又はＢＯとＴＰＳイベントのうちいずれか一つが発生した場合に、端末は、ＭＡＣ-ｅ  ＰＤＵにＢＯとＴＰＳを挿入して伝送する。
【０１０２】
下記に、本発明の第６の実施形態により、その他の動作についてさらに説明する。
【０１０３】
端末は、ＢＯとＴＰＳを含むＭＡＣ-ｅシグナリングフィールドを設定する。ＢＯ伝送条件が満足した場合に、ＢＯは、ＭＡＣ-ｅシグナリングフィールド内でＢＯフィールドに書き込まれ、空き(null)データはＴＰＳフィールドに詰められる。一方、ＴＰＳ伝送条件が満足した場合に、ＭＡＣ-ｅシグナリングフィールド内でＴＰＳはＴＰＳフィールドに書き込まれ、空きデータはＢＯフィールドに詰められる。この場合に、２ビットの情報ビットが、４つのＭＡＣ-ｅシグナリングタイプを示すために物理的に要求される。
【０１０４】
基地局は、ＭＡＣ-ｅ ＰＤＵを受信する度に、ＭＡＣ-ｅ ＰＤＵに含まれたＭＡＣ-ｅシグナリングインジケータビットを確認する。ＭＡＣ-ｅシグナリングインジケータビットがＵＥ状態情報の存在を示す場合に、基地局は、ＭＡＣ-ｅ ＰＤＵからＢＯとＴＰＳを抽出してスケジューリングを遂行する。
【０１０５】
下記に、本発明の代表的な実施形態に関するフローチャート及びブロック構成図を説明する。
【０１０６】
図１３は、本発明の第４の実施形態による端末からＴＰＳ伝送を示すフローチャートである。ステップＳ１３０２で、Ｅ-ＤＣＨの伝送区間ごとに遂行される。
【０１０７】
図１３を参照すると、端末は、ステップＳ１３０２で、Ｅ-ＤＣＨデータ伝送が開始されたか否かを判定する。端末は、Ｅ-ＤＣＨデータの伝送が現在時間区間で開始されたと判定された場合に、ステップＳ１３０６でＭＡＣ-ｅ ＰＤＵにＢＯとＴＰＳを含んだ後、ステップＳ１３０８に進行する。一方、Ｅ-ＤＣＨデータの伝送が現在時間区間で開始されない場合に、端末は、ステップＳ１３０３で、ＢＯが現在時間区間で伝送されるか否かを判定する。現在時間区間がＢＯ伝送区間であると、端末は、ステップＳ１３０６でＭＡＣ-ｅ  ＰＤＵにＢＯとＴＰＳを含み、ステップ１３０８に進行する。ＴＰＳが他の実施形態でＢＯと関係なく伝送される場合に、ステップＳ１３０３は遂行されない。
【０１０８】
現在時間区間がＢＯ伝送区間でないと、端末は、ステップＳ１３０４で、ＴＰＳ周期が満了したか否かを判定する。すなわち、端末は、ＴＰＳ周期が以前のＴＰＳの伝送、或いはＥ-ＤＣＨデータ伝送の開始以後に経過したか否かを判定する。現在時間区間がＴＰＳ伝送区間である場合に、端末は、ステップＳ１３０６で、ＴＰＳをＭＡＣ-ｅ ＰＤＵに含めてから、ステップＳ１３０８に進行する。現在時間区間がＴＰＳ伝送区間でない場合に、端末は、ステップＳ１３０５で、以前の時間区間でＴＰＳイベントが発生したか否かを判定する。ＴＰＳイベントが以前の時間区間で発生した場合に、端末は、ステップＳ１３０６で、ＴＰＳをＭＡＣ-ｅ ＰＤＵに含めた後に、ステップＳ１３０８に進行する。
【０１０９】
ステップＳ１３０５で、ＴＰＳイベントが発生しないと、端末は、ステップＳ１３０７で、伝送するＥ-ＤＣＨデータが存在するか否かを判定する。その結果、伝送するＥ-ＤＣＨデータが存在する場合に、端末は、ステップＳ１３０８で、ＭＡＣ-ｅ ＰＤＵのペイロードにＥ-ＤＣＨデータを乗せてＥ-ＤＣＨを通じて伝送する。ＭＡＣ-ｅ ＰＤＵは、ステップＳ１３０６で、挿入されたＢＯ及び/又はＴＰＳを含むことができる。一方、上記の結果、伝送するＥ-ＤＣＨデータが存在しない場合に、端末は、次の時間区間まで待機した後に、ステップＳ１３０２に戻る。なお、変形された実施形態として、伝送するＥ-ＤＣＨデータが存在しない場合には、ＢＯ及び/又はＴＰＳのみを含むＭＡＣ-ｅ ＰＤＵが伝送されてもよい。
【０１１０】
図１３のフローチャートを第１の実施形態に適用すれば、端末は、ステップＳ１３０２で、Ｅ-ＤＨＣデータ伝送が開始されないと、すぐステップＳ１３０７に進行する。また、第２の実施形態に適用すれば、端末は、ステップＳ１３０４で、ＴＰＳ周期が満了しない場合にすぐステップＳ１３０７に進行する。第３の実施形態に適用すれば、端末は、ステップＳ１３０２で、Ｅ-ＤＣＨ伝送が開始されない場合、又はステップ１３０３で、現在時間区間がＢＯ伝送区間でない場合に、すぐにステップＳ１３０５に進行する。
【０１１１】
図１４は、本発明の第５の実施形態により、端末のＴＰＳ伝送を示すフローチャートである。ステップ１４０２〜ステップ１４０８は、Ｅ-ＤＣＨ伝送区間ごとに遂行される。
【０１１２】
図１４を参照すると、端末は、ステップＳ１４０２で、Ｅ-ＤＣＨデータ伝送が開始されたか否かを判定する。端末は、Ｅ-ＤＣＨデータの伝送が現在時間区間で開始されたと判定された場合に、ステップＳ１４０６でＭＡＣ-ｅ ＰＤＵにＢＯとＴＰＳを含んだ後、ステップＳ１４０８に進行する。一方、Ｅ-ＤＣＨデータの伝送が現在時間区間で開始されない場合に、端末は、ステップＳ１４０３で、ＢＯが現在時間区間で伝送されるか否かを判定する。現在時間区間がＢＯ伝送区間であると、端末は、ステップＳ１４０６でＭＡＣ-ｅ  ＰＤＵにＢＯとＴＰＳを含み、ステップ１４０８に進行する。ＴＰＳが他の実施形態でＢＯと関係なく伝送される場合には、ステップＳ１４０３は遂行されない。
【０１１３】
現在時間区間がＢＯ伝送区間でないと、端末は、ステップＳ１４０４で、ＴＰＳ周期が満了したか否かを判定する。すなわち、端末は、ＴＰＳ周期が以前のＴＰＳの伝送、或いはＥ-ＤＣＨデータ伝送の開始以後に経過したか否かを判定する。現在時間区間がＴＰＳ伝送区間でない場合に、端末は、ステップＳ１４０７に進行する。現在時間区間がＴＰＳ伝送区間である場合に、端末は、ステップＳ１４０５で、以前のＴＰＳ周期でＴＰＳイベントが発生したか否かを判定する。ＴＰＳイベントが以前のＴＰＳ周期で発生した場合に、端末は、ステップＳ１４０６で、ＴＰＳをＭＡＣ-ｅ ＰＤＵに含めた後に、ステップＳ１４０８に進行する。ステップＳ１４０５で、ＴＰＳイベントが発生しないと、端末は、ステップＳ１４０７に進行する。
【０１１４】
ステップ１４０７で、端末は、伝送するＥ-ＤＣＨデータが存在するか否かを判定する。その結果、伝送するＥ-ＤＣＨデータが存在する場合に、端末は、ステップＳ１４０８で、ＭＡＣ-ｅ ＰＤＵのペイロードにＥ-ＤＣＨデータを乗せてＥ-ＤＣＨを通じて伝送する。ＭＡＣ-ｅ ＰＤＵは、ステップＳ１４０６で、挿入されたＢＯ及び/又はＴＰＳを含むことができる。一方、上記の結果、伝送するＥ-ＤＣＨデータが存在しない場合に、端末は、次の時間区間まで待機した後に、ステップＳ１４０２に戻る。なお、変形された実施形態として、伝送するＥ-ＤＣＨデータが存在しない場合には、ＢＯ及び/又はＴＰＳのみを含むＭＡＣ-ｅ ＰＤＵが伝送されてもよい。
【０１１５】
図１５は、本発明の望ましい実施形態による端末の構造を示すブロック構成図である。以下の説明において、本発明の主な要旨に関係ない受信器の構造は省略する。
【０１１６】
図１５を参照すると、端末は、Ｅ-ＤＣＨデータをバッファリングするＥ-ＤＣＨバッファ１５０１と、ＴＰＳを管理するＴＰＳ管理部１５０２とを含む。Ｅ-ＤＣＨバッファ１５０１は、アップリンクデータの量を監視してバッファ情報１５０４を生成し、バッファ情報１５０４を端末状態情報生成部１５０７に提供する。ＴＰＳ管理部１５０２は、端末の送信可能な最大送信電力を認知し、基地局の電力制御及びアップリンクチャンネルの送信可否により、各チャンネルの送信電力を監視し、ＴＰＳ情報１５０３を生成し、このＴＰＳ情報１５０３を端末状態情報生成部１５０７に提供する。
【０１１７】
端末状態情報生成部１５０７は、バッファ情報１５０４又はＴＰＳ情報１５０３を伝送する伝送区間に至ったか否かを判定し、バッファ情報１５０４及び/又はＴＰＳ情報１５０３を含む端末状態情報を生成する。この端末状態情報にバッファ情報１５０４を含む条件は、周期的又はイベント発生的、又は初期Ｅ-ＤＣＨ伝送の場合のように多様に定められることができる。類似に、本発明の実施形態に示すように、端末状態情報にＴＰＳ情報１５０３を含む条件も、周期的伝送、イベント発生的伝送、又は初期Ｅ-ＤＣＨ伝送の場合となりうる。ＴＰＳ管理部１５０２は、Ｅ-ＤＣＨバッファ１５０１から受信された制御情報１５０６、すなわちバッファ情報１５０４が伝送されたか否かを示す情報により、ＴＰＳ情報１５０３を端末状態情報生成部１５０７に提供することができる。
【０１１８】
Ｅ-ＤＣＨバッファ１５０１は、各伝送区間で許可されたデータ伝送率によってＥ-ＤＣＨデータ１５０５を出力する。Ｅ-ＤＣＨデータ１５０５は、ＭＡＣ-ｅ ＰＤＵ生成部１５０８に提供され、ＭＡＣ-ｅシグナリングが必要である場合に、端末状態情報生成部１５０７は、バッファ情報１５０４及びＴＰＳ情報１５０３を含む端末状態情報をＭＡＣ-ｅ ＰＤＵ生成部１５０８に提供する。ＭＡＣ-ｅ ＰＤＵ生成部１５０８は、Ｅ-ＤＣＨデータと端末状態情報のうちの少なくとも一つを含むＭＡＣ-ｅ ＰＤＵを生成する。ＭＡＣ-ｅ ＰＤＵは、Ｅ-ＤＣＨ送信部１５０９で符号化と変調を経て基地局に伝送される。
【０１１９】
以上、本発明の詳細な説明においては具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１２０】
【図１】典型的なＵＭＴＳシステムの無線接続ネットワーク(ＵＴＲＡＮ)を示す構成図である。
【図２】端末と無線網制御器(ＲＮＣ)との間のインターフェースを示す階層を示す図である。
【図３】典型的な無線リンクを通じてＥ-ＤＣＨ伝送を示す図である。
【図４】従来のＥ-ＤＣＨを通じるメッセージの送受信手順を示す図である。
【図５】ＭＡＣ-ｅパケットデータ単位(ＰＤＵ）の構成を示す図である。
【図６】端末のＥ-ＤＣＨ送信関連ＭＡＣ/ＰＨＹ階層の構造図である。
【図７】基地局のＥ-ＤＣＨ受信関連ＭＡＣ/ＰＨＹ階層の構造図である。
【図８】本発明の望ましい第１の実施形態によるＴＰＳ伝送を示す図である。
【図９】本発明の望ましい第２の実施形態によるＴＰＳ伝送を示す図である。
【図１０】本発明の望ましい第３の実施形態によるＴＰＳ伝送を示す図である。
【図１１】本発明の望ましい第４の実施形態によるＴＰＳ伝送を示す図である。
【図１２】本発明の望ましい第５の実施形態によるＴＰＳ伝送を示す図である。
【図１３】本発明の望ましい第４の実施形態により端末のＴＰＳ伝送を示すフローチャートである。
【図１４】本発明の望ましい第５の実施形態により端末のＴＰＳ伝送を示すフローチャートである。
【図１５】本発明の望ましい実施形態によりＴＰＳ伝送のための端末の構造を示すブロック構成図である。
【符号の説明】
【０１２１】
５０１  ＲＬＣ  ＰＤＵ
５０２  ＭＡＣ−ｄ  ＳＤＵ（ｓ）
５０３  ＭＡＣ−ｄ  ヘッダー
５０４  ＭＡＣ−ｅ  ＳＤＵ（ｓ）
５０５  ＭＡＣ−ｄ  ＰＤＵ
５０６  ＭＡＣ−ｅ  ヘッダー
５０７  ＭＡＣ−ｅ  ＰＤＵ
５０８  伝送ブロック
【図１】
2008517551.tif 000003
【図２】
2008517551.tif 000004
【図３】
2008517551.tif 000005
【図４】
2008517551.tif 000006
【図５】
2008517551.tif 000007
【図６】
2008517551.tif 000008
【図７】
2008517551.tif 000009
【図８】
2008517551.tif 000010
【図９】
2008517551.tif 000011
【図１０】
2008517551.tif 000012
【図１１】
2008517551.tif 000013
【図１２】
2008517551.tif 000014
【図１３】
2008517551.tif 000015
【図１４】
2008517551.tif 000016
【図１５】
2008517551.tif 000017
【国際調査報告】
2008517551.tif 000018
2008517551.tif 000019